(57)【特許請求の範囲】
【請求項１】
布基礎と土台との間に、全長に亘って介装される長尺の基礎パッキンに於いて、基礎パッキンの材質は合成樹脂製であり、かつ、基礎パッキンには、幅方向に抜ける通気孔が多数形成され、この通気孔の壁面には、パッキンの長手方向及び幅方向に沿って、上下面に交互に開放部が形成されている長尺の基礎パッキン。
【請求項２】
通気孔を形成する側壁及び上下壁の厚さがほぼ同じである請求項１記載の長尺の基礎パッキン。
【請求項３】
基礎パッキンの裏面の両縁辺部に、布基礎のコンクリート打設バリを吸収する為の、切欠が形成されている請求項１記載の長尺の基礎パッキン。
【請求項４】
基礎パッキンの平面中央部には、アンカーボルトが通る為の孔が全長に亘って連続的に形成されており、かつ、この孔の形成位置が、パッキンの長手方向に非対称になっている請求項１記載の長尺の基礎パッキン
【発明の詳細な説明】
【０００１】
【発明の属する技術分野】
この発明は、住宅などの建物に於いて、布基礎と土台との間に介装して、床下換気用の通気路を形成するのに用いる基礎パッキンに関する。
【０００２】
【従来の技術】
従来の基礎パッキンは、通常、長さが２０ｃｍ程度のブロック体で、これを布基礎と土台との間の適所に介装することによって、布基礎と土台との間に隙間を形成し、この隙間を床下換気用の通気路とするものである。また、パッキン自体に通気孔を形成し、布基礎の全長に互って敷設する方式の長尺の基礎パッキンも、特開２００２−７０１８６などとして提案されている。
【０００３】
【発明が解決しようとする課題】
ところが、前記従来の基礎パッキンでは、例えば、短尺のものの場合には、その設置箇所の特定が重要で、施工時に慎重に設置箇所を定める必要があり、施工不良を招くおそれがある。長尺の基礎パッキンを用いれば、この問題は解消されるが、パッキン自体に通気孔を設けなければならず、パッキンの厚さは、１０〜３０ｍｍ程度と薄いので、これに幅方向に抜ける通気孔を設けるとなると、通気孔が小さくなって、充分な通気量を確保できなくなるという問題がある。
【０００４】
本発明は、このような点に鑑み、充分な通気性を確保できる長尺の基礎パッキンを提供するにある。また、本発明は、布基礎や土台の接触面を乾燥させることのできる基礎パッキンを提供するにある。
【０００５】
【課題を解決するための手段】
本発明の基礎パッキンの技術的手段は、布基礎と土台との間に、全長に亘って介装される長尺の基礎パッキンに於いて、基礎パッキンの材質は合成樹脂製であり、かつ、基礎パッキンには、幅方向に抜ける通気孔が多数形成され、この通気孔の壁面には、パッキンの長手方向及び幅方向に沿って、上下面に交互に開放部が形成されていることにある。
【０００６】
また、通気孔を形成する側壁及び上下壁の厚さをほぼ同じにするのがよい。更に、基礎パッキンの裏面の両縁辺部に、布基礎のコンクリート打設バリを吸収する為の、切欠を形成するのが好ましい。また、基礎パッキンの平面中央部に、アンカーボルトが通る為の孔を、全長に亘って連続的に設けると共に、この孔の形成位置を、パッキンの長手方向に非対称とするのが好ましい。
【０００７】
【発明の実施の形態】
本発明の基礎パッキンの実施の形態を、図面の実施例に基づいて説明する。基礎パッキン１は、通常、厚さが１０〜３０ｍｍである。また、幅は７０〜２００ｍｍで、土台の幅に合わせて定められる。長さは、５００〜２０００ｍｍ程度と長尺で、これを直列に連結し、また、場合によっては、適当に切断して使用される。材質は、合成樹脂製である。実施例では、ポリプロピレン樹脂を用いている。
【０００８】
基礎パッキン１には、幅方向に抜ける多数の通気孔２が形成されている。基礎パッキン１は、使用時に厚さ方向に圧縮荷重を受けるので、通気孔２の形成に際しては、必要とする圧縮強度が確保されるように設計する。図示例では孔の断面形状は４角形とし、隣接させて多数連続状に形成されている。更に、各孔２は、上下いずれかの壁面に開放部３が形成されている。即ち、各孔は、左右の側壁４と、上下いずれか一方の壁５との３方囲繞形態であり、残りの一方は開放部３で、ここでは自由に通気が可能である。これにより、通気面積が増加し、換気性能を高めることができ、かつ、上下に接する布基礎や土台の接触面を乾燥させることができる。またこの開放部３は、パッキンの長手方向及び幅方向に沿って、上下交互に形成されている。これにより、開放部の形成に伴う、パッキンの撓み強度の低下を抑制できる。
【０００９】
基礎パッキン１には、その平面中央部にアンカーボルトが通る為の４角形の孔６が、全長に互って連続的に形成されている。また、図３に示されるように、基礎パッキン１の両端には、連結用の凸部７及び凹部８が形成されていて、パッキンを直列状に繋げて使用できるようになっている。更に、図３に示されるように、アンカーボルト用の孔６の形成位置が、パッキンの長手方向に非対称になっているので、アンカーボルトが孔６に上手く嵌り合わない場合には、パッキンの長手方向の向きを逆にして使用するようにする。また、図３の９は釘止め用の孔である。なお、パッキン１の表裏の表面には、滑り止めの為のシボ加工を施すことも可能である。
【００１０】
以上のような基礎パッキン１は、布基礎２０の上に、直列状に敷き並べて使用する。また、布基礎２０の長さに応じ、パッキン１は適当に切断して使用する。基礎パッキン１の裏面の両縁辺には、図５に示されるように、傾斜状の切欠１０が形成されていて、布基礎２０の形成時のコンクリート打設によって生ずる、上端隅角部のバリ２１を吸収可能である。従って、バリ２１が存在していても、パッキン１の敷き並べには支障が出ない。３０は土台である。
【００１１】
このように、布基礎２０と土台３０との間に介装されたパッキン１には多数の通気孔２が形成されているので、この孔を通って空気の流通が可能であり、床下換気を図ることができる。更に、通気孔２の上面または下面のいずれかが開放形状になっているので、通気性に富み、かつ、布基礎２０や土台３０の接触面を乾燥させることができる。更に、パッキン１の表裏面に開放部の形成に伴う切欠が存在するので、これが布基礎や土台と接触した際の滑り止めとなり、布基礎と土台との間に介装したパッキンは、長期に互り安定よく保持される。
【００１２】
本発明は、前記の実施例に限定されるものではなく、特許請求の範囲の記載の範囲内で自由に変形実施可能である。特に、パッキン１の厚さ、幅、長さ、及び材質などは自由である。また、通気孔２の断面形状も４角形に限定されず、また、通気孔の形成個数なども自由である。更に、通気孔２の開放部３の形状や形成形態なども自由である。
【００１３】
【発明の効果】
本発明の基礎パッキンは、布基礎の全長に亘って敷き並べるので、パッキン設置位置に対する注意が不要で、施工ミスを防止できる他、パッキンには通気孔があるので、床下換気を図ることができる。更に、パッキンに設けられた通気孔は、上下いずれかが開放状になっているので、通気性能が高く、パッキンが薄い場合でも、充分な床下換気を図ることができる。また、パッキンの表裏面に開放部が存在するので、布基礎や土台の接触面をよく乾燥させることができる上に、開放部が接触状態での滑り止めとなるので、パッキン使用時の安定がよい。更に、開放部が、上下面に交互に形成されているので、パッキンの撓み強度の低下を押え、接触面の乾燥の均質化を図ることができる。
【００１５】
請求項３のものは、布基礎のバリ吸収用の切欠がパッキンの縁辺に形成されているので、バリの存在の影響を受けることなく、パッキンを布基礎上に安定よく載置できる。
【００１６】
請求項４のものは、アンカーボルト用の孔が、長手方向に非対称に設けられているので、孔とボルトの位置が上手く合わない場合には、パッキンの長手方向の向きを逆にすれば、合うようになり、施工上、極めて有益である。
【図面の簡単な説明】
【図１】本発明の基礎パッキンの実施例の斜視図。
【図２】基礎パッキンの正面図。
【図３】基礎パッキンの平面図
【図４】Ａ−Ａ断面図
【図５】基礎パッキンの使用状態の断面図。
【符号の説明】
１          基礎パッキン
２          通気孔
３          開放部
４          通気孔の側壁面
５          通気孔の上下壁面
６          アンカーボルト用の孔
１０        バリ吸収用の切欠
【図１】
0003785111.tif 000002
【図２】
0003785111.tif 000003
【図３】
0003785111.tif 000004
【図４】
0003785111.tif 000005
【図５】
0003785111.tif 000006